(57)【要約】【課題】  簡単な構造で画像を投影可能な通信装置を提供する。【解決手段】  第２表示部１７と、レンズ１５０を有するスライド１１０と、スイッチ１２０とを有する第１筐体１００と、アンテナ２と撮像部１８を有する第２筐体２００とがヒンジ部３００を軸にして、図中矢印Ａ方向又はＢ方向に回動可能であり、スライド１１０を図２中上方向にスライドすることにより、前記第２表示部１７上に前記スライド１１０を位置させ、前記第２表示部１７に表示された画情報を、前記カバー１１０に形成されているレンズ１５０を介して外部へ出力することにより、前記第２表示部１７に表示された画情報を外部のスクリーン上に撮像することが可能である。【選択図】        図２
2005025105.tif 000002
【特許請求の範囲】
【請求項１】
表示部と、レンズが形成されたカバーとを有する通信装置であり、
前記カバーは、前記表示部上に位置する状態から前記表示部上に位置しない状態へと移動可能であり、前記カバーが前記表示部上に位置する状態では、前記表示部に表示されている画情報を投影用の画像として前記レンズを介して外部へ出力可能であることを特徴とする通信装置。
【請求項２】
第１の表示部と第２の表示部とレンズが形成されたカバーとを有する第１の筐体と、入力部を有する第２の筐体と、がヒンジ部を介して開閉可能に接続され、前記第１の表示部は、筐体が閉じた状態では前記入力部と対向する位置にあり、前記第２の表示部は、前記第１の表示部の配された面の裏面に設置され、
前記カバーは、前記第２の表示部上に位置する状態とそうでない状態へ移動可能であり、前記カバーが前記第２の表示部上に位置する状態では、前記第２の表示部へ表示されている画情報を投影用の画像として前記レンズを介して外部へ出力可能であることを特徴とする通信装置。
【請求項３】
請求項２記載の通信装置であり、前記第１の筐体には、前記カバーを滑動可能とする為の溝部が形成され、前記カバーには、前記溝部に滑合される突起部が形成され、前記溝部に前記突起部が滑合した状態で前記カバーが前記溝部上で滑動可能としたことを特徴とする通信装置。
【請求項４】
請求項２又は３記載の通信装置であり、
前記通信装置は、入力部と、制御部とを有し、
前記制御部は、前記カバーが前記第２の表示部上に位置する状態で、前記第２の表示部へ表示する画情報を９０度右方向或いは左方向へ回転した状態で表示するよう前記入力部から指示があると判定すると、前記第２の表示部に表示する画情報を９０度右方向或いは左方向へ回転した状態で表示するよう前記第２の表示部を制御することを特徴とする通信装置。
【発明の詳細な説明】
【技術分野】
【０００１】
本発明は、画像を投影可能な携帯電話装置等の通信装置に関する。
【背景技術】
【０００２】
近年では、１００万画素以上のＣＣＤ（Ｃｈａｒｇｅ  Ｃｏｕｐｌｅｄ  Ｄｅｖｉｃｅ）撮像素子を搭載した携帯電話装置が製品化されており、このように、現在の携帯電話装置は通話やメールの機能だけでなく、デジタルカメラ並みの撮像機能を搭載するまでに至った。
【０００３】
しかしながら、携帯電話に搭載する表示部の大きさは携帯電話の筐体の大きさにより制限される為、せっかく画素数の高いＣＣＤカメラで風景を撮影しても、撮影した風景を小さな表示部にしか表示することができない。
【０００４】
そこで、筐体の小型化を維持しながら大画面の表示を可能とする技術が提案されており、例えば特許文献１には、携帯電話に光源と透過型液晶パネルと投射レンズを配置し、携帯電話から折畳可能な大型スクリーンに向かって画像を投影する技術が記載されている。
【特許文献１】特開２００３−１０１９０９号公報（第５頁、図１）
【発明の開示】
【発明が解決しようとする課題】
【０００５】
しかしながら、引用文献１に記載の技術では、電話番号や指名等を表示する為の表示部の他にスクリーンへ画情報を投影する為の光源、透過型液晶パネル、投影レンズ等を別途設ける必要があり、画情報を投影する為のこれらの部品を搭載することはコスト高を招くだけでなく、携帯電話の小型化を妨げる要因となる。
【課題を解決するための手段】
【０００６】
本願発明はこのような課題を解決する為のものであり、請求項１記載の通信装置は、表示部と、レンズが形成されたカバーとを有する通信装置であり、前記カバーは、前記表示部上に位置する状態から前記表示部上に位置しない状態へと移動可能であり、前記カバーが前記表示部上に位置する状態では、前記表示部に表示されている画情報を投影用の画像として前記レンズを介して外部へ出力可能であることを特徴とする。
【０００７】
請求項２記載の通信装置は、第１の表示部と第２の表示部とレンズが形成されたカバーとを有する第１の筐体と、入力部を有する第２の筐体と、がヒンジ部を介して開閉可能に接続され、前記第１の表示部は、筐体が閉じた状態では前記入力部と対向する位置にあり、前記第２の表示部は、前記第１の表示部の配された面の裏面に設置され、前記カバーは、前記第２の表示部上に位置する状態とそうでない状態へ移動可能であり、前記カバーが前記第２の表示部上に位置する状態では、前記第２の表示部へ表示されている画情報を投影用の画像として前記レンズを介して外部へ出力可能であることを特徴とする。
【０００８】
請求項３記載の通信装置は、請求項２記載の通信装置であり、前記第１の筐体には、前記カバーを滑動可能とする為の溝部が形成され、前記カバーには、前記溝部に滑合される突起部が形成され、前記溝部に前記突起部が滑合した状態で前記カバーが前記溝部上で滑動可能としたことを特徴とする。
【０００９】
請求項４記載の通信装置は、請求項２又は３記載の通信装置であり、前記通信装置は、入力部と、制御部とを有し、前記制御部は、前記カバーが前記第２の表示部上に位置する状態で、前記第２の表示部へ表示する画情報を９０度右方向或いは左方向へ回転した状態で表示するよう前記入力部から指示があると判定すると、前記第２の表示部に表示する画情報を９０度右方向或いは左方向へ回転した状態で表示するよう前記第２の表示部を制御することを特徴とする。
【発明の効果】
【００１０】
本願発明は、電話番号や氏名等を表示する為の第２の表示部に画情報を表示し、前記第２の表示部に表示されている画情報をレンズを介してスクリーンへ投影する構造としている為、表示部の他に別途レンズを設けるだけで画情報をスクリーンへ投影することが可能であり、コスト高となることを回避することが可能であるだけでなく、携帯電話の小型化を妨げることがない。
【００１１】
又、レンズを搭載したカバーが閉じている状態で、投影モードであれば自動的に表示部に投影用の画情報を表示し、投影モードでなければ、表示部には何も表示しない構成としている。この為、ユーザが特別な操作を行わなくとも、カバーの開閉状態に応じて表示部が適切な表示形態をとることが可能であるだけでなく、無駄な電力の消費を回避することが可能である。
【００１２】
更に、表示部を投影用の画情報を表示している状態で、ユーザの指示に応じて画面を横向き表示或いは縦向き表示に変えることが可能である。この為、携帯電話を縦向き横向きどちらに置いた場合でも、ユーザの見やすい画面（縦向き画面又は横向き画面）に切り替えることが可能である。
【発明を実施するための最良の形態】
【００１３】
図１及び図２は、本発明を適用してなる実施例装置の斜視図である。
【００１４】
図１に示す通信装置（例えば、携帯電話装置）は、例えば液晶表示装置からなる第１の表示部１６を搭載した第1筐体１００と、テンキー２１１、通話キー２２２、切キー２２３、モード切換キー２２４、開閉検出部（図示せず）を搭載した第２筐体２００とをヒンジ部３００を介して開閉可能に接続してなる折り畳み式の携帯電話装置である。又、図１に示す携帯電話装置は、矢印Ａ方向又はＢ方向に開閉可能である。
【００１５】
尚、前記開閉検出部（図示せず）について具体的に説明すると、前記第1筐体１００又は第２筐体２００に凸部を儲け、一方、前記第２筐体２００又は第1筐体１００に凹部である開閉検出部を儲け、筐体が閉じることに応じて前記凸部が前記凹部を押下し、筐体が閉じられたことを検出する。
【００１６】
図２は、図１に示す携帯電話装置を背面から見た斜視図である。
【００１７】
図２において、第1筐体１００は第２表示部１７と該第２表示部１７のカバー１１０と、該カバー１１０の移動を解除する為のスイッチ１２０とを有しており、前記カバー１１０は図２中矢印Ｃ方向又はＤ方向へ移動可能である。又、前記スイッチ１２０は、カバー１１０が上方にある状態で図２中左側へスライド操作することにより、カバー１１０を図２中下方へ移動することが可能である。又、カバー１２０が図２中下方にある場合には、前記スイッチ１２０を図２中左側へスライド操作した状態で、ユーザがカバー１１０を図２中上方へスライドさせることにより、前記カバー１１０を図２中上方へ移動することが可能である。
【００１８】
尚、溝部１３０はカバー１１０をスライドする為の溝であり、又、カバー１１０には、前記第２表示部１７に表示された画情報を外部へ出力する為のレンズ１５０が形成されている。
【００１９】
一方、第２筐体２００は、アンテナ２、撮像部１８を有する。
【００２０】
図３は、図２に示すカバー１１０近傍を示す斜視図である。
【００２１】
図３において、カバー１１０は、略Ｌ字状の断面でカバー１１０の長手方向に延在する突起部１１１を有しており、前記突起部１１１を第１筐体１００に形成されている溝部１３０に嵌め込むことにより、カバー１１０を前記溝部１３０に沿って滑動させることが可能である。尚、前記カバー１１０は、例えば樹脂で形成されている為、製造工程においては前記カバー１１０を撓めて前記溝部１３０に嵌め込むことが可能である。
【００２２】
図４は、本発明を適用してなる実施例装置である携帯電話装置のブロック図である。
【００２３】
図４において、通信部１は、後述するベースバンド部３からの信号をアンテナ２を介して基地局へ発信したり、アンテナ２を介して基地局からの電波を受信したりする。
【００２４】
ベースバンド部３は、ＣＤＭＡ（Ｃｏｄｅ  ＤｉｖｉＳｉｏｎ  Ｍｕｉｔｉｐｌｅ  ＡｃｃｅＳＳ）処理回路３１と、音声コーデック処理回路３２とを有する。前記ＣＤＭＡ処理回路３１は、符号分割多元接続、スクランブル、誤り制御、タイミング検出等を行う。前記音声コーデック処理回路３２は、音声を圧縮（符号化）、伸長（復号化）したり、アナログ信号とデジタル信号の変換を行ったり、内部の増幅回路（図示せず）により受話音量やマイクロホンの感度を変更する。
【００２５】
通話に使用されるスピーカ４は、アンプ５で増幅された切替回路１０からの電気信号を音声信号に変換する。通話に使用されるマイクロホン６は、音声信号を電気信号に変換しアンプ７へ出力する。又、アンプ７により増幅された電気信号は、切替回路１０に出力される。更に、スピーカ８は、アンプ９にて増幅された呼び出し音やメロディーを出力する。
【００２６】
切替回路１０は、３つのアンプ５、７、９とベースバンド部３との接続を後述する制御部１１１１の制御によりＯＮ／ＯＦＦする。尚、これらの増幅回路はゲインを固定しており、受話音量やキークリック音量やマイクロホンの感度を変更することはできない。受話音量やキークリック音量やマイクロホンの感度の変更は、制御部１１１１の制御によりベースバンド部３の音声コーデック３２が行う。
【００２７】
マイクロプロセッサからなる制御部１１は、例えばＲＯＭ（Ｒｅａｄ  Ｏｎｌｙ  Ｍｅｍｏｒｙ）からなる第１格納部１２に格納されたシステムプログラムに基づいて、各部を制御する。
【００２８】
第２格納部１３は、例えばＳＲＡＭ（Ｓｔａｔｉｃ  Ｒａｎｄｕｍ  ＡｃｃｅＳＳ  Ｍｅｍｏｒｙ）からなり、無線により受信した画情報や後述する撮像部１８から入力した画情報を格納する。
【００２９】
尚、別途画情報が格納されたメモリカードを携帯電話に着脱可能に構成し、前記メモリカードから読み込んだ画情報を前記第２格納部１３に格納する構成としても良い。
【００３０】
入力部１５は、テンキー２１１、通話キー２２２、切キー２２３、モード切換キー２２４等の各種キーからなる。又、前記モード切換キー２２４は、画像を投影するモードにする為のキーである。
【００３１】
第1表示部１６は、例えば液晶表示装置からなり、動画や静止画、メール内容、電話番
号等を表示可能である。又、第1表示部１６は筐体が開いた時に表示され、閉じた時には
何も表示されない。
【００３２】
第２表示部１７は、例えば液晶表示装置からなり、カバー１１０が開いた状態の待機状
態では、電波の受信強度、電池残量、現在時刻等を表示し、着信時には、発呼側の電話番
号や氏名等を表示する。一方、カバー１１０が閉じた状態では、スクリーンに投影する画
情報を表示する。
【００３３】
撮像部１８は例えばＣＣＤ（Ｃｈａｒｇｅ  Ｃｏｕｐｌｅｄ  Ｄｅｖｉｃｅ）からなり、画情報を制御部１１へと出力する。又、制御部１１へ出力された画情報は制御部１１内で圧縮や伸長といった画像処理が施される。
【００３４】
カバー１１０開閉検出部１９は、後ほど詳細に説明するが、カバー１１０の開閉を検出する。
【００３５】
筐体開閉検出部２０は、筐体の開閉を検出する。
【００３６】
図５は、カバー１１０が開閉される際のスイッチ１２０周辺の状態を示す部分透過図である。
【００３７】
図５（ａ）は、カバー１１０が閉じた状態を示しており、第１隔壁１２４と第２隔壁１２５は共に筐体内部に形成されている。又、前記第１隔壁１２４と第２隔壁１２５との間には、スイッチ１２０と一体形成された軸部１２６が挿通されている。又、前記第１隔壁１２４と第２隔壁１２５との間に存在する軸部１２６にはスプリング１２２が巻回されている。更に、前記スプリング１２２と前記第２隔壁１２５との間に存在する軸部１２６部分には、鍔部１２３が形成されており、前記鍔部１２３が形成されていることにより、スプリング１２２の力により軸部１２６の先端が前記第２隔壁１２５から突出するようになっている。
【００３８】
カバー１１０が閉じた状態では、軸部１２６の先端がスプリング１２２の力により、矢印Ｅ方向へ突出している。又、軸部１２６の先端がカバー１１０の底部に当接することにより、カバー１１０が下方へ下がることを防止している。
【００３９】
図５（ａ）に示す状態でユーザがスイッチ１２０を矢印Ｆと反対の方向に移動すると、図５（ｂ）に示すようにカバー１１０を図５中左方向（図２中下方向）に移動することができる。カバー１１０を左方向に移動した後にユーザがスイッチ１２０から手を離すと、スプリング１２２の力により軸部１２６の先端がカバー１１０の側面（図３に示す突出部１１１）に当接し、カバー１１０が開いた状態で維持される。
【００４０】
図６はスイッチ１２０部分の部分透過斜視図である。
【００４１】
図６において、鍔部１２３のスプリング１２２側（第１隔壁１２４側）側面には、磁石等の金属でコーティングされている。一方、スプリング１２２と鍔部１２３との間に介在する第１隔壁１２４の鍔部１２３側側面には、図７で示すようにカバー１１０の開閉状態を検出する為のカバー開閉検出部１９が形成されている（中央の穴は軸部１２６が貫通される穴である）。カバー１１０が閉じた状態では、前記鍔部１２３と前記カバー開閉検出部１９とが電気的に接続され、前記カバー開閉検出部１９が電気的に短絡した状態となり、この状態を制御部１１が検出することにより、制御部１１はカバー１１０が閉じていると判定する。一方、カバー１１０が開いた状態では、前記鍔部１２３と前記カバー開閉検出部１９とが電気的に接続されていない状態となり、前記カバー開閉検出部１９が電気的に開放した状態となり、この状態を制御部１１が検出することにより、制御部１１はカバー１１０が開いていると判定する。
【００４２】
このような通信装置の動作を図８に示すフロー図を用いて以下に説明する。
【００４３】
Ｓ１ステップでは、制御部１１は、現在画情報をスクリーンに投影する投影モードであるか否かを判定する。具体的には、制御部１１は、入力部１５から投影モードにするよう指示操作があると判定すると、その旨を示す情報を第２格納部１３に格納し、前記情報が前記第２格納部１３に格納されている限り、投影モードだと判定し、Ｓ２ステップへ処理を進め、そうでなければＳ８ステップへ処理を進める。
【００４４】
Ｓ２ステップでは、制御部１１は、カバー１１０が閉状態であるか否かを判定する。具体的には、制御部１１は、カバー開閉検出部１９から、カバー１１０が閉状態であることを示す信号を検出するとＳ４ステップへ処理を進め、そうでなければＳ３ステップへ処理を進める。
【００４５】
Ｓ３ステップでは、制御部１１は、第２表示部１７に、投影モードであることを示すメッセージ、例えば、「投影モード中、カバーを閉めて下さい」を表示し、Ｓ２ステップへ処理を戻す。
【００４６】
Ｓ４ステップでは、制御部１１は、第２表示部１７を投影用の表示に切り換える。即ち、レンズの形状に応じて投影用の画情報を縮小して表示したり、画像を左右（上下）反転させたり、バックライトの輝度を高くさせたり、拡大用の詳細表示内容に切り換えたり、横方向或いは縦方向に伸張した画情報を表示し、Ｓ５ステップへ処理を進める。又、前記投影用の画情報は、ベースバンド部３を介して相手側から受信した画情報でも良いし、第２格納部１３に格納されている画情報でも良い。
【００４７】
Ｓ５ステップでは、制御部１１は、入力部１５から表示の向きを縦向きから横向きに変えるよう指示があると判定するとＳ６ステップへ処理を進め、そうでなければＳ７ステップへ処理を進める。
【００４８】
Ｓ６ステップでは、制御部１１は、画情報を図９に示すように投影する為に、画情報を筐体に対して横向きに投影する。
【００４９】
一方、
Ｓ７ステップでは、制御部１１は、画情報を図１０に示すように投影する為に、画情報を筐体に対して縦向きに投影する。
【００５０】
Ｓ８ステップでは、制御部１１は、カバー開閉検出部１９から、カバー１１０が閉じている状態を示す信号を検出するとＳ９ステップへ処理を進め、そうでなければＳ１０ステップへ処理を進める。
【００５１】
Ｓ９ステップでは、制御部１１は、第２表示部１７の表示動作を禁止させ、Ｓ１ステップへ処理を戻す。
【００５２】
Ｓ１０ステップでは、制御部１１は、筐体開閉検出部２０から筐体が開いている状態であることを示す信号を検出すると、Ｓ１１ステップへ処理を進め、そうでなければ、Ｓ１２ステップへ処理を進める。
【００５３】
Ｓ１１ステップでは、制御部１１は、第２表示部１７への表示を禁止する。
【００５４】
Ｓ１２ステップでは、制御部１１は、第２表示部１７へ現在時刻や電池残量等を表示する。
【００５５】
以上説明したように、本実施例装置では、第２表示部１７を電池残量等を表示する為の表示装置として使用できるだけでなく、投影用の表示装置としても使用することができる為、少ないコストで、又、少ない部品点数で、画情報を投影することが可能である。
【００５６】
又、筐体の向きに応じて投影する画情報の向きを変えることができる為、携帯電話をどのような向きに置いた時でも、画情報が逆さまに投影されることがない。
【図面の簡単な説明】
【００５７】
【図１】本発明を適用してなる実施例装置の前面斜視図である。
【図２】本実施例装置の背面斜視図である。
【図３】カバー１１０周辺の斜視図である。
【図４】本実施例装置のブロック図である。
【図５】スイッチ１２０近傍の部分透過図である。
【図６】カバー１１０開閉検出部周辺の部分透過図である。
【図７】カバー開閉検出部１９を示す図である。
【図８】本実施例装置の動作を示すフロー図である。
【図９】本実施例装置の実施形態を示す図である。
【図１０】本実施例装置の実施形態を示す図である。
【符号の説明】
【００５８】
１１  制御部
１７  第２表示部
１９  カバー開閉検出部
２０  筐体開閉検出部
１００  第１筐体
１１０  カバー
１２０  スイッチ
１２２  スプリング
１２６  軸部
１３０  溝部
１５０  レンズ
２００  第２筐体
【図１】
2005025105.tif 000003
【図２】
2005025105.tif 000004
【図３】
2005025105.tif 000005
【図４】
2005025105.tif 000006
【図５】
2005025105.tif 000007
【図６】
2005025105.tif 000008
【図７】
2005025105.tif 000009
【図８】
2005025105.tif 000010
【図９】
2005025105.tif 000011
【図１０】
2005025105.tif 000012